(57)【要約】【課題】軸筒内に収容する筆記体の本数を増加させても、筆記体の出没作動の阻害や筆記体内のインキ充填量の減少を回避できるとともに、軸筒の前部の細い外径を維持することができる多芯筆記具を提供する。【解決手段】軸筒２内面に、各々の筆記体４が摺動可能に挿通される複数の内孔３１を備えたガイド壁部３を設ける。各々の筆記体４のペン先４１の全てが軸筒２内に没入された状態において、ガイド壁部３前方の軸筒２内面に各々の筆記体４外面とが接触する接触部６を設ける。ガイド壁部３前端から前方に突出する筆記体４のペン先４１前端までの軸方向の突出長さをＬとし、ガイド壁部３前端から接触部６までの軸方向の距離をＭとしたとき、軸方向の距離Ｍが突出長さＬの５０％以上に設定される。【選択図】  図１
2010094926.tif 000002
【特許請求の範囲】
【請求項１】
軸筒内に複数の筆記体を前後方向に移動可能に収容し、前記複数の筆記体のペン先の一つを軸筒の前端孔より外部に選択的に出没させる多芯筆記具であって、前記軸筒内面に、前記各々の筆記体が摺動可能に挿通される複数の内孔を備えたガイド壁部を設け、前記各々の筆記体のペン先の全てが前記軸筒内に没入された状態において、前記ガイド壁部前方の軸筒内面に各々の筆記体外面が接触する接触部を設け、前記ガイド壁部前端から前方に突出する筆記体のペン先前端までの軸方向の突出長さをＬとし、前記ガイド壁部前端から前記接触部までの軸方向の距離をＭとしたとき、前記軸方向の距離Ｍが前記突出長さＬの５０％以上に設定されることを特徴とする多芯筆記具。
【請求項２】
横断面における前記ガイド壁部の各々の内孔に接する仮想外接円の直径をａとし、
前記各々の筆記体のペン先の全てが軸筒内に没入された状態で、前記ガイド壁部前端から前記突出長さＬの５０％離れた箇所の軸筒内面の内径をｂとし、
前記各々の筆記体のペン先の全てが軸筒内に没入された状態における、各々の筆記体のインキ収容部前端の位置する軸筒内面の内径をｃとしたとき、
前記内径ａに対する内径ｂの比（ｂ／ａ）が、０．８７〜０．９０であり、
前記内径ａに対する内径ｃの比（ｃ／ａ）が、０．８５〜０．９０であり、
前記内径ｂと前記内径ｃが等しいか、または前記内径ｂが前記内径ｃよりも大きい請求項１記載の多芯筆記具。
【請求項３】
前記接触部を有する部分の軸筒外径が、前記ガイド壁部を有する部分の軸筒外径よりも小さく設定される請求項１または２記載の多芯筆記具。
【請求項４】
軸筒内に４本の筆記体を前後方向に移動可能に収容し、前記各々の筆記体のインキ収容部の外径が２．８ｍｍ〜３．５ｍｍの範囲である請求項１、２または３記載の多芯筆記具
【発明の詳細な説明】
【技術分野】
【０００１】
本発明は、軸筒内に複数の筆記体を前後方向に移動可能に収容し、前記複数の筆記体のペン先の一つを軸筒の前端孔より外部に選択的に出没させる多芯筆記具に関する。
【背景技術】
【０００２】
特許文献１には、外装体に摺動可能に取り付けられた操作体を摺動操作することにより、外装体内部に収納された先端にペン先を有する複数のレフィルを交互に外装体先端より突出させた多芯式筆記具が開示されている。さらに、前記特許文献１には、レフィルを後方に付勢するコイルスプリングが係止され且つレフィルの摺動ガイドとなる内棚部を、外装体に設けた構成が開示されている。また、前記特許文献１には、極力レフィル同士の接触の可能性を低減するとともに、レフィルのペン先とパイプとの接続部分の段部が、軸筒内壁に接触しないようにすることが記載されている。
【０００３】
【特許文献１】特開平９−２０７４９４号公報
【発明の開示】
【発明が解決しようとする課題】
【０００４】
一般に、多芯筆記具において、収納するレフィル（本発明の筆記体に相当）の本数を増加させるに伴い、外装体の前部（把持部）の内径及び外径が太くなる。もし、レフィルの本数の少ないときの外装体の前部（把持部）の外径を維持したまま、収納するレフィルの本数を増加させた場合、レフィル同士の接触やレフィルと外装体内面との接触によりレフィルの出没作動が阻害されるおそれがある。また、前記レフィルの出没作動の阻害を回避するために、各々のレフィルの外径を細くせざるを得ず、その結果、各々のレフィルのインキ充填量が少なくなる。
【０００５】
本発明は、前記従来の問題点を解決するものであって、軸筒内に収容する筆記体の本数を増加させても、筆記体の出没作動の阻害や筆記体内のインキ充填量の減少を回避できるとともに、軸筒の前部の細い外径（スリムな把持部）を維持することができる多芯筆記具を提供しようとするものである。尚、本発明において、「前」とはペン先側を指し、「後」とはその反対側を指す。
【課題を解決するための手段】
【０００６】
[１]本願の第１の発明は、軸筒２内に複数の筆記体４を前後方向に移動可能に収容し、前記複数の筆記体４のペン先４１の一つを軸筒２の前端孔２３より外部に選択的に出没させる多芯筆記具であって、前記軸筒２内面に、前記各々の筆記体４が摺動可能に挿通される複数の内孔３１を備えたガイド壁部３を設け、前記各々の筆記体４のペン先４１の全てが前記軸筒２内に没入された状態において、前記ガイド壁部３前方の軸筒２内面に各々の筆記体４外面が接触する接触部６を設け、前記ガイド壁部３前端から前方に突出する筆記体４のペン先４１前端までの軸方向の突出長さをＬとし、前記ガイド壁部３前端から前記接触部６までの軸方向の距離をＭとしたとき、前記軸方向の距離Ｍが前記突出長さＬの５０％以上に設定されることを要件とする。
【０００７】
前記第１の発明の多芯筆記具１は、前記各々の筆記体４のペン先４１の全てが前記軸筒２内に没入された状態において、前記ガイド壁部３前方の軸筒２内面に各々の筆記体４外面が接触する接触部６を設け、前記ガイド壁部３前端から前方に突出する筆記体４のペン先４１前端までの軸方向の突出長さをＬとし、前記ガイド壁部３前端から前記接触部６までの軸方向の距離をＭとしたとき、前記軸方向の距離Ｍが前記突出長さＬの５０％以上（Ｍ≧Ｌ×０．５）に設定されること（即ち、ガイド壁部３前端から突出長さＬの５０％以上離れた箇所で、軸筒２内面と筆記体４外面とを接触させたこと）により、軸筒２内に収容する筆記体４の本数を増加させても、筆記体４の出没作動の阻害や筆記体４内のインキ充填量の減少を回避でき、且つ、軸筒２の前部の細い外径を維持することができる。尚、本発明で、前記ガイド壁部３前端から前記接触部６までの軸方向の距離Ｍは、接触部６が複数箇所に存在する場合あるいは軸方向の一定の長さを有する領域に存在する場合、最大値を採用する。
【０００８】
もし、ガイド壁部３前端から突出長さＬの５０％未満箇所で軸筒２内面と筆記体４外面とを接触させ、且つ、ガイド壁部３前端から突出長さＬの５０％以上離れた箇所で軸筒２内面と筆記体４外面とを接触させない場合、筆記体４の出没作動が阻害される不具合があり、その不具合を解消するために、軸筒２前部の内径及び外径を太くするか、あるいは、筆記体４のインキ収容部の外径を細くすること（インキ充填量の減少）を余儀なくされる。
【０００９】
［２］本願の第２の発明は、前記第１の発明の多芯筆記具１において、横断面における前記ガイド壁部３の各々の内孔３１に接する仮想外接円の直径をａとし、前記各々の筆記体４のペン先４１の全てが軸筒２内に没入された状態で、前記ガイド壁部３前端から前記突出長さＬの５０％離れた箇所の軸筒２内面の内径をｂとし、前記各々の筆記体４のペン先４１の全てが軸筒２内に没入された状態における、各々の筆記体４のインキ収容部４２前端の位置する軸筒２内面の内径をｃとしたとき、前記内径ａに対する内径ｂの比（ｂ／ａ）が、０．８７〜０．９０であり、前記内径ａに対する内径ｃの比（ｃ／ａ）が、０．８５〜０．９０であり、前記内径ｂと前記内径ｃが等しいか、または前記内径ｂが前記内径ｃよりも大きいことを要件とする。
【００１０】
前記第２の発明の多芯筆記具１は、前記内径ａに対する内径ｂの比（ｂ／ａ）が、０．８７〜０．９０であり、前記内径ａに対する内径ｃの比（ｃ／ａ）が、０．８５〜０．９０であり、前記内径ｂと前記内径ｃが等しいか、または前記内径ｂが前記内径ｃよりも大きいこと（ｂ≧ｃ）により、軸筒２内に収容する筆記体４の本数を増加させても、筆記体４の出没作動の阻害や筆記体４内のインキ充填量の減少を確実に回避でき、且つ、軸筒２の前部の細い外径を維持することができる。
【００１１】
もし、ｂ／ａの値が、０．８７未満の場合、筆記体４の作動不良が生じ、一方、ｂ／ａの値が、０．９０を超える場合、筆記体４の収容本数の増加させる前の、軸筒２の前部の内径及び外径の細い状態を維持できない。もし、ｃ／ａの値が、０．８５未満の場合、筆記体４の作動不良が生じ、一方、ｃ／ａの値が、０．９０を超える場合、筆記体４の収容本数の増加させる前の、軸筒２の前部の内径及び外径の細い状態を維持できない。もし、内径ｂが内径ｃよりも小さい場合（ｂ＜ｃの場合）、軸筒２の前部の内径及び外径の細い状態を維持できないおそれがある。
【００１２】
［３］本願の第３の発明は、前記第１または第２の発明の多芯筆記具１において、前記接触部６を有する部分の軸筒２外径が、前記ガイド壁部３を有する部分の軸筒２外径よりも小さく設定されることを要件とする。
【００１３】
前記第３の発明の多芯筆記具１は、ガイド壁部３を有する部分の軸筒２外径を細くすることなく（即ち筆記体４の出没作動を阻害することなく）、軸筒２前部（把持部）の外径を細くすることができる。前記第３の発明の多芯筆記具１は、例えば、軸筒２が、前端孔２３を有する前軸２１と、該前軸２１と螺着される後軸２２とからなり、前記前軸２１の内面に接触部６を設け、前記後軸２２の内面にガイド壁部３を設け、前記前軸２１の外面を把持部（グリップ部）とした構成が有効である。
【００１４】
［４］本願の第４の発明は、前記第１、２または３の発明の多芯筆記具１において、軸筒２内に４本の筆記体４を前後方向に移動可能に収容し、前記各々の筆記体４のインキ収容部４２の外径が２．８ｍｍ〜３．５ｍｍの範囲であることを要件とする。
【００１５】
本願の第４の発明の多芯筆記具１は、各々の筆記体４内に十分なインキ充填量を有し、且つ、筆記体４の収容本数が３本のときに用いた軸筒２前部の内径及び外径と同等の軸筒２前部の内径及び外径を有する、４本の筆記体４を収容した多芯筆記具１を得る。
【００１６】
もし、各々の筆記体４のインキ収容部４２の外径が２．８ｍｍ未満の場合、インキ収容部４２の外径が細径化し、インキ充填量が減少する。一方、各々の筆記体４のインキ収容部４２の外径が３．５ｍｍを超える場合、筆記体４の収容本数の増加させる前の、軸筒２の前部の内径及び外径の細い状態（即ち筆記体４の収容本数が３本のときに用いた軸筒２前部の内径及び外径）を維持できない。
【発明の効果】
【００１７】
本発明の多芯筆記具によれば、軸筒内に収容する筆記体の本数を増加させても、筆記体の出没作動の阻害や筆記体内のインキ充填量の減少を回避できるとともに、軸筒の前部の細い外径を維持することができる。
【発明を実施するための最良の形態】
【００１８】
本実施の形態の多芯筆記具１は、軸筒２内に複数本（具体的には４本）の筆記体４が前後方向に移動可能に収容されている。前記各々の筆記体４は、弾発体７（具体的には圧縮コイルスプリング）により、後方に付勢されている。前記各々の筆記体４の後端には操作体５が取り付けられる。前記各々の操作体５は、軸筒２の窓孔２４より外部に突出される。
【００１９】
（軸筒）
前記軸筒２は、先細円筒状の前軸２１と、該前軸２１の後端に接続される円筒状の後軸２２とからなる。前記前軸２１の前端軸心には、各々の筆記体４のペン先４１が突出可能な前端孔２３が軸方向に貫設される。前記前軸２１及び後軸２２は、合成樹脂（例えば、ポリカーボネイト等）の射出成形により得られる。
【００２０】
前記後軸２２の後部の側壁には、複数本（具体的には４本）の前後方向に延びる細長状の窓孔２４が、径方向に貫設される。前記４本の窓孔２４は、互いに、後軸２２の外周面の円周方向に９０度回転した位置に等間隔に形成される。前記窓孔２４と窓孔２４の間の後軸２２の一つの側壁にはクリップ（図示せず）が設けられる。
【００２１】
（ガイド壁部）
軸筒２の内面（即ち後軸２２内面）には、円板状のガイド壁部３が固着される。前記ガイド壁部３は、各々の筆記体４が摺動可能に挿通される複数（具体的には４個）の内孔３１が軸方向に貫設されている。前記ガイド壁部３の後面と、各々の操作体５の鍔部の前面との間には、弾発体７が配置される。前記各々の弾発体７の内部に筆記体４が遊挿される。前記各々の弾発体７の前端はガイド壁部３の後面により係止され、前記各々の弾発体７の後端は操作体７の鍔部前面に係止される。前記ガイド壁部３は、合成樹脂の射出成形から得られる。
【００２２】
（筆記体）
前記各々の筆記体４は、ボールペンレフィルであり、前端にボールが回転可能に抱持されたボールペンチップ（即ちペン先４１）と、該ボールペンチップを前端に備え且つ後端が開口された直円筒状のインキ収容管４２（インキ収容部）とからなる。前記インキ収容管４２の内部には、剪断減粘性を有する水性ゲルインキ、低粘度の水性インキ、低粘度の油性インキ、または高粘度の油性インキからなるインキが収容される。前記インキが、剪断減粘性を有する水性ゲルインキ、低粘度の水性インキ、または低粘度の油性インキの場合、インキ収容管４２内のインキの後端には、インキの消費に伴い前進する高粘度流体からなる追従体が充填される。前記直円筒状のインキ収容管４２（インキ収容部）は、合成樹脂の成形体（押出成形体）から得られ、可撓性を有する。前記インキ収容管４２の外径は、２．８ｍｍ〜３．５ｍｍ（好ましくは３ｍｍ〜３．５ｍｍ）に設定される。
【００２３】
また、前記ボールペンチップは、前端に回転可能に抱持されたボールを弾発体等により前方に付勢し、前端縁部の内面にボールを密接させる構成でもよい。また、ボールペンチップは、インキ収容管４２の前端開口部に圧入等により直接、取り付けてもよいが、本実施の形態ではペン先ホルダーを介してインキ収容管４２の前端開口部に固着される。
【００２４】
本実施の形態の出没機構は、前記一つの操作体５を窓孔２４に沿って前方にスライドさせることにより、その一つの操作体５が取り付けられた筆記体４のペン先４１が軸筒２の前端孔２３から前方に突出するとともに、先に突出状態にあった他の筆記体４のペン先４１が軸筒２内に没入するタイプ（スライド式）である。尚、本発明の出没機構は、前記スライド式以外にも、軸筒外面を回転操作することにより、軸筒内のカム機構を作動させ、筆記体のペン先を選択的に出没させるタイプ（回転式）でもよい。
【００２５】
（接触部）
前記各々の筆記体４のペン先４１の全てが前記軸筒２内に没入された状態において、前記ガイド壁部３より前方の軸筒２内面に各々の筆記体４外面が接触する接触部６が設けられる。前記ガイド壁部３前端から前方に突出する筆記体４のペン先４１前端までの軸方向の突出長さをＬとし、前記ガイド壁部３前端から前記接触部６までの軸方向の距離をＭとしたとき、前記軸方向の距離Ｍが前記突出長さＬの５０％以上（即ち、Ｍ≧０．５×Ｌ）に設定される。
【００２６】
前軸２１が、小径部２１ａ（把持部）と、該小径部２１ａの後方の大径部２１ｂとからなり、前記小径部２１ａの外径が、後軸２２の外径より小さく設定され、前記大径部２１ｂの外径が、後軸２２の外径と同等に設定される。前記接触部６を有する部分の接触部６を有する部分の軸筒２外径（即ち前軸２１の小径部２１ａの外径）は、ガイド壁部３を有する部分の軸筒２外径（後軸２２の外径）より小さく設定される。
【００２７】
（内径ａ，ｂ，ｃ）
横断面におけるガイド壁部３の各々の内孔３１に接する仮想外接円の直径をａとし、各々の筆記体４のペン先４１の全てが軸筒２内に没入された状態で、前記ガイド壁部３前端から前記突出長さＬの５０％離れた箇所の軸筒２内面の内径をｂとし、前記各々の筆記体４のペン先４１の全てが軸筒２内に没入された状態における、各々の筆記体４のインキ収容管４２前端の位置する軸筒２内面の内径をｃとしたとき、前記内径ａに対する内径ｂの比（ｂ／ａ）が、０．８７〜０．９０であり、前記内径ａに対する内径ｃの比（ｃ／ａ）が、０．８５〜０．９０であり、前記内径ｂと前記内径ｃが等しいか、または前記内径ｂが前記内径ｃよりも大きく設定される（即ちｂ≧ｃに設定される）。本実施の形態では、１０ｍｍ〜１１ｍｍの軸筒２前部の外径を得る。
【００２８】
表１に、ガイド壁部３前端から接触部までの軸方向の距離Ｍと筆記体４の出没作動性との関係についての試験結果を示す。本試験は、本実施の形態の多芯筆記具１を用い、インキ収容管４２の外径が３．１ｍｍ、内孔３１の内径が３．５ｍｍ、内径ａが９．５ｍｍ、内径ｂが８．３５ｍｍ、内径ｃが８．１４ｍｍに設定された。
【００２９】
【表１】
2010094926.tif 000003
【００３０】
表２に、内径ａに対する内径ｂの比（ｂ／ａ）及び内径ａに対する内径ｃの比（ｃ／ａ）と筆記体４の出没作動性との関係についての試験結果を示す。本試験は、本実施の形態の多芯筆記具１を用い、インキ収容管４２の外径が３．１ｍｍ、内孔３１の内径が３．５ｍｍ、内径ａが９．５ｍｍに設定された。
【００３１】
【表２】
2010094926.tif 000004
【図面の簡単な説明】
【００３２】
【図１】本発明の実施の形態の多芯筆記具の縦断面図である。
【図２】（１）が図１のＡ−Ａ線断面図であり、（２）が図１のＢ−Ｂ線断面図であり、（３）が図１のＣ−Ｃ線断面図である。
【符号の説明】
【００３３】
１  多芯筆記具
２  軸筒
２１  前軸
２２  後軸
２３  前端孔
２４  窓孔
３  ガイド壁部
３１  内孔
４  筆記体
４１  ペン先
４２  インキ収容管
５  操作体
６  接触部
７  弾発体
Ｌ  筆記体の軸方向の突出長さ
Ｍ  ガイド壁部前端から接触部までの軸方向の距離
ａ  内孔に接する仮想外接円の直径
ｂ  突出長さＬの５０％離れた箇所の軸筒内面の内径
ｃ  インキ収容部前端の位置する軸筒内面の内径
【図１】
2010094926.tif 000005
【図２】
2010094926.tif 000006